(57)【要約】移動フェムトセルを備えるセルラ移動通信ネットワークにおける移動端末のハンドオーバ決定を支援する方法は、上記移動端末に近接した移動フェムトセルの存在を検出するステップと、上記移動端末と上記移動フェムトセルとの連結移動可能性を評価するステップと、上記評価が上記移動フェムトセルとの連結移動を示す場合、上記移動端末を上記移動フェムトセルにハンドオーバするステップとによって特徴付けられる。
2013502783.tif 000002
【特許請求の範囲】
【請求項１】
移動フェムトセルを備えるセルラ移動通信ネットワークにおける移動端末のハンドオーバ決定を支援する方法であって、
前記移動端末に近接した移動フェムトセルの存在を検出するステップと、
前記移動端末と前記移動フェムトセルとの連結移動可能性を評価するステップと、
前記評価が前記移動フェムトセルとの連結移動を示す場合、前記移動端末の前記移動フェムトセルへのハンドオーバを実行するステップと、
を有することを特徴とする方法。
【請求項２】
移動フェムトセルが移動可能であることをブロードキャストするシステム情報の一部として指示することを特徴とする請求項１に記載の方法。
【請求項３】
前記ネットワークの他のフェムトセルおよび／またはマクロセルが、これらの隣接セルリストにおいて移動フェムトセルが移動可能であることをブロードキャストすることを特徴とする請求項１または２に記載の方法。
【請求項４】
プレゼンスビーコンが移動フェムトセルのアナウンスに使用されることを特徴とする請求項１〜３のいずれか一項に記載の方法。
【請求項５】
前記プレゼンスビーコンは、移動フェムトセル自体、または、別の無線、光もしくは音ベースの手段によって送出されることを特徴とする請求項４に記載の方法。
【請求項６】
前記移動端末は、待機状態にある間、前記ネットワークの異なったマクロセルから受信したシステム情報に基づいて当該移動端末が移動していることを検出することを特徴とする請求項１〜５のいずれか一項に記載の方法。
【請求項７】
前記移動端末の移動の検出は、前記移動端末が移動フェムトセルの存在を能動的に検出し始めるためトリガとして作用することを特徴とする請求項６に記載の方法。
【請求項８】
前記移動端末の移動が前記ネットワークによって、特に、前記ネットワークのＭＳＣ（Mobile Switching Center）によって検出されることを特徴とする請求項１〜７のいずれか一項に記載の方法。
【請求項９】
前記ネットワークは、前記移動端末が移動中であることを検出すると、特にページングを用いて前記移動端末が無線ベースの測定を能動的に実行するようにトリガすることを特徴とする請求項１〜８のいずれか一項に記載の方法。
【請求項１０】
前記トリガは、移動フェムトセルの存在可能性についての前記ネットワークの明示的な知識に依存して前記ネットワークによって実行されることを特徴とする請求項９に記載の方法。
【請求項１１】
移動フェムトセルの存在に関連するコンテキスト情報のアナウンスメントは、前記移動端末のコンテキスト情報と相関していることを特徴とする請求項１〜１０のいずれか一項に記載の方法。
【請求項１２】
前記移動端末のコンテキスト情報は、前記移動フェムトセルおよび／または運営者ネットワークへ通信されることを特徴とする請求項１１に記載の方法。
【請求項１３】
前記移動端末と移動フェムトセルとの連結移動可能性の評価は、所定の測定期間に亘って、前記移動端末が前記移動フェムトセルから受信した信号強度を解析するステップを含むことを特徴とする請求項１〜１２のいずれか一項に記載の方法。
【請求項１４】
前記移動端末は、前記信号強度が所定の範囲内で安定し、前記所定の測定期間に亘って所定の閾値を上回る場合、前記移動フェムトセルと一緒に移動しているとみなされることを特徴とする請求項１３に記載の方法。
【請求項１５】
前記測定期間および／または前記閾値は、過去のパフォーマンスおよび／またはコンテキスト情報に基づいて自動調整されることを特徴とする請求項１４に記載の方法。
【請求項１６】
移動フェムトセルは、連結移動を検出するため、この移動フェムトセルに近接して位置しているアタッチされていない移動端末の信号強度の測定を実行することを特徴とする請求項１〜１５のいずれか一項に記載の方法。
【請求項１７】
連結移動は、フェムトセルおよび移動端末の信号強度を実行することにより、かつ、測定結果を相関させることにより、前記ネットワークによって検出されることを特徴とする請求項１〜１６のいずれか一項に記載の方法。
【発明の詳細な説明】
【技術分野】
【０００１】
本発明は、移動フェムトセルを備えるセルラ移動通信ネットワークにおける移動端末のハンドオーバ決定を支援する方法に関する。
【背景技術】
【０００２】
移動セルラネットワークにおいて、３ＧＰＰで広くユーザ機器（ＵＥ）と記される移動端末は、一般に、複数のマクロセル基地局（ＢＳ）のカバレッジ範囲の内部に同時に位置している。ＢＳがＵＥにサービスを提供すべきであるという決定は、様々な要因に依存し、最も重要な要因は、該当するＵＥと複数のＢＳとの間の無線チャネルの品質である。ＵＥとサービングＢＳ(serving BS)との間の無線チャネルが所定の閾値より悪化するとき、ＵＥをより良好な無線チャネル品質をもつ別のＢＳにハンドオーバすべき旨の決定が行われ、ハンドオーバプロセスが開始される。このハンドオーバを準備するため、ＢＳは、一般に、より良好な信号を求めてＵＥによってスキャンされるべき周波数の範囲を最小にするために、ＵＥの近くにある他のＢＳのリストを提供する。
【０００３】
従来の移動セルラネットワークにおいて、ハンドオーバの原因は、主に、静止したＢＳに対してＵＥが移動することにある。ハンドオーバは、通常、シグナリングオーバヘッドおよび発振（いわゆる「ピンポン効果」）を低減するために可能な限り遅く、しかし呼損失を最小化するために十分早く、開始される。
【０００４】
移動セルラネットワークにおける現在の進展は、極端に小さいカバレッジ範囲（「移動フェムトセル」、ＭＦＣ）をもつ移動ＢＳの進展であり、これらの移動ＢＳは、例えば、バスまたは列車のような公共交通手段に配備される。移動ネットワーク運営者の観点から、このようなフェムトセルはより小さいセルサイズであることからネットワーク容量を向上させる利点があり、これは、より高い空間再利用を可能にする。移動フェムトセルと乗客の端末との間の距離は短く一定であるから、移動の間中、より低い送信電力で常に高いチャネル品質を可能にする。さらに、乗客にとって送信電力が小さくてよいということは、自分の移動端末のバッテリ寿命が長くなることを意味する。
【０００５】
さらに、移動フェムトセルとマクロセルとの間のリンク上にある数台の移動端末の通信を集めることができるので、シグナリングおよびデータ転送のオーバヘッドを低減することによってネットワーク資源をより効率的に使用することができる。移動フェムトセルは、移動関連の、および場所ベースの新しい種類のサービスを可能にするものである。
【０００６】
しかし、ＭＦＣの配備は、いつハンドオーバを実行すべきか、およびどのＢＳあるいはＭＦＣにハンドオーバすべきか、の決定を著しく複雑化する。移動フェムトセルのカバレッジエリアとモビリティとが小さいために、ＭＦＣのカバレッジエリアに入るＵＥが受ける無線チャネル品質が、ネットワーク運営者および／またはＵＥの観点からハンドオーバが意味をなす程度に十分に長時間に亘って十分に高くなるかどうかを予測することは非常に困難である。
【発明の概要】
【発明が解決しようとする課題】
【０００７】
したがって、本発明の目的は、シグナリングオーバヘッドが低減され、不必要な発振が広範に回避され、そして、ネットワーク容量が強化されるような効果的な仕方で、冒頭に記載されたタイプのハンドオーバ決定を支援する方法を改良し更に開発することである。
【課題を解決するための手段】
【０００８】
本発明によれば、上記目的は、請求項１の特徴を備える方法によって達成される。この請求項によれば、このような方法は、上記移動端末に近接した移動フェムトセルの存在を検出するステップと、上記移動端末と上記移動フェムトセルとの連結移動(joint movement)の可能性を評価するステップと、上記評価が上記移動フェムトセルとの連結移動を与える場合、上記移動端末を上記移動フェムトセルにハンドオーバするステップと、によって特徴付けられる。
【０００９】
本発明により認識されたことは、移動フェムトセルの配備数が増えれば、エンドユーザとネットワーク運営者の両方に対して有望なチャンスをもたらすが、同時に、経済的に合理的なハンドオーバ決定の性能に関する新しい仕組みが必要になる、ということである。上述した問題を解決するため、本発明は、最初に、移動端末が移動端末に近接した移動フェムトセルの存在を検出することを提案する。移動端末に近接した移動フェムトセルの存在を検出することは、移動端末が移動フェムトセルのカバレッジエリアの範囲内に位置していることを移動端末に認識させる仕組みが設けられることを意味する。
【００１０】
しかし、移動フェムトセルの存在に単に気付くことは、ＭＦＣのモビリティに起因するハンドオーバを有効に実行するためには十分ではないことがさらに認識された。その結果として、さらなるステップにおいて、本発明による方法は、移動端末と移動フェムトセルとの連結移動の可能性を評価することを提案する。この連結移動評価プロセスの結果に依存して、移動フェムトセルへの移動端末のハンドオーバが実行されるかどうかが決定される。一緒に移動する移動フェムトセルを識別したことで、静止したＢＳでのハンドオーバ決定アルゴリズムに比べて、事前のハンドオーバ決定をより高速化するように改善することができ、その結果、マクロセルの範囲内での周波数再利用が改善され、信号オーバヘッドが低減する。提案された解決策は、ＵＥが移動中に利用可能な最良のセルを見出し／選択することを可能にさせ、ＵＥと一緒に移動しない移動フェムトセルへの誤ったハンドオーバを阻止（または、少なくとも最小化）する。さらに、本発明による方法は、移動端末のフェムトセルとの通信が低電力であるからエネルギ効率がよい。
【００１１】
以下、「移動端末」と呼ばれるとき、この用語は、ユーザ機器（ＵＥ）、携帯電話機、ハンドセット、ＰＤＡ（個人情報端末）、コンピュータ、または、セルラ移動電気通信ネットワークで動作することができるその他のユーザ装置を含むが、これらに限定されない。
【００１２】
移動端末が移動フェムトセルの存在に気付くことを容易にするために、移動フェムトセルが、規則的にブロードキャストするシステム情報の一部として移動可能であるという事実を示してもよい。特に、３ＧＰＰアーキテクチャでは、フェムトセルが移動可能であるか否かに関する情報をフェムトセルによってブロードキャストされるシステム情報の（例えば、３ＧＰＰ  ＴＳ  ２５．３３１およびＴＳ  ３６．３３１による）Ｓｙｓｔｅｍ  Ｉｎｆｏｒｍａｔｉｏｎ  Ｂｌｏｃｋ  Ｔｙｐｅ  １に含めることができる。フェムトセルのモビリティを示すブーリアンもしくは不定ＧＰＳ座標（−１，−１）のうちのいずれか一方または両方を使用することができる。それに代わるものとして、あるいはそれに加えて、システム情報の中の（例えば、３ＧＰＰ  ＴＳ  ２５．３３１およびＴＳ  ３６．３３１による）Ｓｙｓｔｅｍ  Ｉｎｆｏｒｍａｔｉｏｎ  Ｂｌｏｃｋ  Ｔｙｐｅ  ４が採用されてもよい。ＳｙｓｔｅｍＩｎｆｏｒｍａｔｉｏｎＢｌｏｃｋＴｙｐｅ４は、周波数内セル再選択のみに関連する隣接セル関連情報を収容する。ＩＥは、特定の再選択パラメータをもつセルとブラックリストに載せられたセルとを含む。同様に、移動フェムトセルのモビリティを示すブーリアンもしくは不定ＧＰＳ座標（−１，−１）のいずれか一方または両方を使用できる。他のアーキテクチャ、すなわち、ＷｉＭＡＸへの同様の拡張を適用することができる。
【００１３】
さらなる好ましい実施形態によれば、ネットワークの他のフェムトセルおよび／またはマクロセルが、これらの隣接セルリストにおいて特定の移動フェムトセルが移動可能であることをブロードキャストしてもよい。この文脈において、隣接セルリストアナウンスメントはホスト移動フェムトセルまで広げることができ、特殊なマーカを導入してこの隣接セルリストの移動フェムトセルエントリに印を付けてもよい。さらに、移動端末がこのような移動フェムトセルのアナウンスメントのために無線ベースの測定を能動的に実行するともできる。
【００１４】
上記実施形態とは独立した、または、上記実施形態のうちの１つ以上と組み合わせた別の実施形態によれば、プレゼンスビーコンは、移動フェムトセルを知らせるため使用される。この点に関して、移動フェムトセル自体、または、無線、光もしくは音ベースの手法のいずれかが、たとえばバスや電車のような公共交通機関の車内ように近接した範囲内にある移動端末によってのみ受信可能であるような十分に低い電力で周期的信号を送出してもよい。無線、光、または、音ベースの手法は、例えば、ＲＦＩＤタグ（Ｒａｄｉｏ  Ｆｒｅｑｕｅｎｃｙ  ＩＤｅｎｔｉｆｉｃａｔｉｏｎ）と、Ｂｌｕｅｔｏｏｔｈ（登録商標）と、ＺｉｇＢｅｅと、ＮＦＣ（Ｎｅａｒ  Ｆｉｅｌｄ  Ｃｏｍｍｕｎｉｃａｔｉｏｎ）と、光変調トランスミッタと、超音波トランスデューサなどを含むが、これらに限定されない。これらの装置によって放出され、移動フェムトセルの存在を知らせる信号は、移動フェムトセルの識別子を符号化してもよい。
【００１５】
移動フェムトセルをその環境に対して可視化する上記方法のいずれを実施するかとは無関係に、移動端末が（例えば、それぞれのプレゼンスビーコンを受信することにより）移動フェムトセルに気づくことが、移動端末の移動フェムトセル検出プロセスを開始させる暗黙的なトリガとしての役目を果たすこともできる。
【００１６】
移動端末の移動に関して、移動端末は、アイドル（待機）状態にある間、当該ネットワークの異なったマクロセルおよびフェムトセルから受信されたシステム情報に基づいて、自身が移動していることを検出すると有利であることが分かる。例えば、マクロセルおよび／またはロケーションエリアが頻繁に変化することが、移動端末の移動の指示として使用できるし、例えば、移動フェムトセルの存在のアクティブスキャンを開始することによって、移動端末が移動フェムトセルの存在を能動的に検出し始めるための明示的なトリガとして使用できる。
【００１７】
別の実施形態によれば、移動端末が移動中であることを検出するのは、ネットワークである。このような移動検出は、ロケーションエリアが頻繁に更新されることに基づくことができるが、ネットワークのＭＳＣ（Ｍｏｂｉｌｅ  Ｓｗｉｔｃｈｉｎｇ  Ｃｅｎｔｅｒ）、または移動端末のモビリティ管理を取り扱うＳＧＳＮ／ＭＭＥ（Ｓｅｒｖｉｎｇ  ＧＰＲＳ  Ｓｕｐｐｏｒｔ  Ｍｏｄｅ／Ｍｏｂｉｌｉｔｙ  Ｍａｎａｇｅｍｅｎｔ  Ｅｎｔｉｔｙ）によって実行されてもよい。ネットワークが移動端末の移動を検出する場合、ネットワークは、移動端末が最も適切な移動フェムトセルを識別するために無線ベースの測定を能動的に実行することをトリガすることができる。トリガは、例えば特定のページング理由（ｐａｇｅ  ｃａｕｓｅ）で、移動端末をページングすることにより実現されてもよい。
【００１８】
有利な点として、無線ベースの測定を能動的に実行するためのネットワークから移動端末へのトリガは、移動フェムトセルの存在可能性についてのネットワークの明示的な知識に依存して実行される。例えば、ネットワークは、フェムトセルを利用可能なある線路上に移動端末が位置していることを容易に検出することができ、その結果、移動端末のアクティブスキャンを起動させることができる。この場合、ネットワークは、隣接セルリストの一部として特定の移動フェムトセル情報を指定することも可能である。
【００１９】
移動端末と移動フェムトセルとの間の連結移動の効果的な検出に関して、移動フェムトセルの存在に関連するコンテキスト情報のアナウンスメントは、移動端末のコンテキスト情報と相関しているとされてもよい。用語「コンテキスト」は、デイ等（Ｄｅｙ  ｅｔ  ａｌ．“Ｔｏｗａｒｄｓ  ａ  ｂｅｔｔｅｒ  ｕｎｄｅｒｓｔａｎｄｉｎｇ  ｏｆ  ｃｏｎｔｅｘｔ  ａｎｄ  ｃｏｎｔｅｘｔ−ａｗａｒｅｎｅｓｓ”，ＣＨＩ  ２０００  ｃｏｎｆｅｒｅｎｃｅ  ｏｎ  ｈｕｍａｎ  ｆａｃｔｕｒｅｓ  ｉｎ  ｃｏｍｐｕｔｅｒ  ｓｙｓｔｅｍｓ，Ｎｅｗ  Ｙｏｒｋ，ＮＹ  ２０００におけるＷｏｒｋｓｈｏｐ  ｏｎ  ｔｈｅ  Ｗｈａｔ，Ｗｈｏ，Ｗｈｅｒｅ，Ｗｈｅｎ  ａｎｄ  Ｈｏｗ  ｏｆ  ｃｏｎｔｅｘｔ−ａｗａｒｅｎｅｓｓの議事録）によって与えられた定義による広い意味で理解されるべきである。したがって、コンテキストは、「ユーザとアプリケーション自体とを含んだユーザとアプリケーションとの間の対話に関すると考えられるエンティティの状況（すなわち、人物、場所または物体であるか）によって特徴付けられる使用可能なすべての情報」を含みうる。「コンテキストは、特に、人物、グループおよび物理的物体における計算のロケーション、アイデンティティおよび状態である。」例えば、本発明の実施形態によれば、移動フェムトセルが路線４のバスの車中にあるという特定のコンテキスト情報のアナウンスメントは、ユーザがバスに乗るところであるか、または、バスから降りるところであるという移動端末のコンテキスト情報と相関させることができる。このようなコンテキスト情報は、ユーザのカレンダ、移動履歴、または、公共交通機関の時刻表から推論され得る。代わりとなるコンテキスト情報としては、移動の方向および速度と共に地理的位置を含むことがあるが、これに限定されることはなく、例えば、ＧＰＳ情報、車両センサなどから推論される。
【００２０】
柔軟性を向上させることに関して、移動端末のコンテキスト情報は、現在の移動フェムトセル、もしくは、移動端末の運営者ネットワークのいずれか、または、これらの両方へ通信されてもよい。移動端末と移動フェムトセルとの間の連結移動を検出するための情報は、特定の環境に依存して、それぞれ移動フェムトセルまたは運営者ネットワークのいずれかで相関をとることができる。
【００２１】
好ましい実施形態によれば、移動端末と移動フェムトセルとの連結移動の可能性の評価は、所定の測定期間に亘って、移動端末が移動フェムトセルから受信した信号強度を解析するステップを含む。さらに、移動端末は、信号強度が所定の範囲内で安定し、所定の測定期間に亘って所定の閾値を上回る場合、移動フェムトセルと一緒に移動するとみなされてもよい。測定期間は、信号強度閾値と共に、過去のパフォーマンスおよび／またはコンテキスト情報に基づいて（例えば、移動フェムトセルの名前／ＩＤ、場所、履歴などに基づいて）自動調整され得る。
【００２２】
ネットワーク資源を全容量まで使用する別の好ましい実施形態によれば、連結移動は、移動フェムトセルがその近くに位置しているアタッチされていない移動端末の信号強度の測定を実行することによって検出される。フェムトセルにおけるこのような連結移動検出は、例えば、ＯＦＤＭＡ（直交周波数分割多元アクセス）のような適切な媒体アクセス手法、または、移動フェムトセルのカバレッジエリア内に位置しているが、移動フェムトセルにアタッチされていない移動端末の信号強度測定を可能にする測定用の２次無線が存在する場合、行うことができる。連結移動は、アタッチされていないモバイル端末から受信した信号強度が長時間に亘って移動フェムトセルの信号出力電力と（準）同期的に変化し、かつ、フェムトセルが移動中である場合、検出されたとみなすことができる。この場合も、測定期間と信号強度閾値とは、自動調整され得る。
【００２３】
利用できるネットワーク資源の利点をさらに活かすため、連結移動の検出は、マクロセルによって実行されてもよい。適切な媒体アクセス手法、例えばＯＦＤＭＡまたは移動端末およびフェムトセルの信号強度測定を可能にする２次無線測定が存在する場合、マクロセルは、連結移動するモバイル端末とフェムトセルとの信号強度の変化を相関させることができる。いずれにしても、移動フェムトセルと、移動端末と移動フェムトセルとの連結移動とが検出されると、移動端末から移動フェムトセルへの円滑なハンドオーバを実行できる。
【００２４】
本発明の教えるところをどのように設計し更に発展させるいくつかの有利な方法がある。このため、一方で、請求項１に従属する請求項を参照すべきであり、他方で、図面によって例示された発明の実施形態の好ましい実施例についての以下の説明を参照すべきである。図面を用いる発明の実施形態の好ましい実施例の説明と関連して、教示の一般に好ましい実施形態とさらなる進展とが説明されることになる。
【図面の簡単な説明】
【００２５】
【図１】本発明による方法が適用できるシナリオ例を概略的に示す図である。
【図２】ハンドオーバ決定の基準とすることができる様々な信号強度測定の結果を示すグラフである。
【発明を実施するための形態】
【００２６】
図１に描かれたシナリオは、バス停留所で自分の路線が到着するのを待っている人物Ｐを示す。人物Ｐが搭乗しないで複数のバスおよび路面電車が素通りするのは、その車両がこのバス停留所で停車しない、または、この車両が間違った路線である、といういずれかの理由による。バスに乗車すると、この人物Ｐの移動端末ＵＥは、車載フェムトセルを検出するはずである。車載フェムトセル検出は、ＵＥが定期的に車載フェムトセルによって放出されるプレゼンスビーコンアナウンスメントをそれぞれ受信することによって実行され得る。
【００２７】
移動フェムトセルアナウンスメントに関して、フェムトセルは、フェムトセルによってブロードキャストされるシステム情報ブロックタイプ１（Ｓｙｓｔｅｍ  Ｉｎｆｏｒｍａｔｉｏｎ  Ｂｌｏｃｋ  Ｔｙｐｅ  １）の一部として、このフェムトセルが移動可能であるか、または、移動可能でないかを指示することができる。フェムトセルのモビリティを指示するブーリアン、もしくは、不定ＧＰＳ座標（−１，−１）のいずれか、または、両方が以下の通り使用できる。
【００２８】
【数１】
2013502783.tif 000003
【００２９】
あるいは、アナウンスメントは周波数内セル再選択のために該当する隣接セル関連情報を収容するシステム情報ブロックタイプ４（Ｓｙｓｔｅｍ  Ｉｎｆｏｒｍａｔｉｏｎ  Ｂｌｏｃｋ  Ｔｙｐｅ  ４）に基づいていてもよい。ＩＥは、特定の再選択パラメータをもつセルと、ブラックリストに載せられたセルとを含む。フェムトセルのモビリティを指示するブーリアン、もしくは、不定ＧＰＳ座標（−１，−１）のいずれか、または、両方が以下の通り使用できる。
【００３０】
【数２】
2013502783.tif 000004
【００３１】
移動フェムトセルが検出されると、この移動フェムトセルに対するＵＥの相対的な移動が導出されるはずである。
【００３２】
このために、ＵＥは、ＵＥが所定の測定期間に亘って移動フェムトセルから受信する信号強度を解析する。信号強度が所定の範囲内で安定であり、かつ、所定の測定期間に亘って所定の閾値を上回る場合、移動端末は、移動フェムトセルと連結移動するとみなされ、移動フェムトセルにハンドオーバする。
【００３３】
基本的に、図１に示されるような公共交通機関のシナリオでは、以下の様々な状況が一般的であると考えることができる。
・バスに乗車するすべての乗客のＵＥは、乗客のＵＥに対して静止しているこのバスのＭＦＣにハンドオーバされるべきである。理想的には、このことは、ＵＥがサービングＢＳのカバレッジ範囲を離れるときだけでなく、できる限り早期に行われるべきである。
・別の路線をバス停留所で待っている人物は、通過するバスのＭＦＣにハンドオーバされるべきではないが、それぞれのサービングＢＳに依然としてアタッチされるべきである。
・バスを降りる乗客は、立ち去るバスからの信号が直ちに見失われることになるので、できる限り早くローカルＢＳにハンドオーバされるべきである。
・複数台のＭＦＣを備える列車内を歩いている乗客は、ＭＦＣ間で非常にタイムリーなハンドオーバが必要となり得るが、列車が移動している間または列車が駅に停止している間のいずれもＢＳにハンドオーバされるべきではない。
【００３４】
図２は、様々な移動フェムトセルからの受信信号の測定結果に基づく本発明の一実施例を示す。通過中のバスは、非常に短時間に限り通信範囲に入る（菱形測定点）。人物の前方に停止中のバスは、このバスが立ち去るまで、この人物のＵＥの通信範囲に入ることになる（正方形測定点）。この人物の選択したバスが到着し、この人物がこのバスに乗車したとき、移動フェムトセルの信号強度は、より長い時間に亘って高い状態に留まることになる（三角形測定点）。相対的に、マクロセルから受信された信号強度は常に高い（Ｘ形状測定点）。
【００３５】
これらの様々な測定基準線は、乗客が乗車したバスを検出するため利用可能であり、乗客のＵＥがアタッチされるべきフェムトセルを示唆している。移動フェムトセルの信号強度が所定の期間に亘って高い状態に留まる場合、三角形測定点の場合と同様に、ＵＥは、このフェムトセルに切り替えられるべきである。このことは、移動フェムトセルがこの移動フェムトセル自体がこのようなタイプのフェムトセルであると知らせることを必要とする。したがって、記述子がセルアナウンスメントに付加される。第二に、後で連結移動の可能性が高くなる時間間隔が定義されなければならない。この間隔はシナリオに依存する。
【００３６】
以上の説明と添付図面に提示された教示の利益を有している本明細書中に記載された発明の多数の変形および他の実施形態は、発明が関係する当業者が想到することになる。したがって、発明は、開示された特定の実施形態に限定されるべきではないことと、変形および他の実施形態が添付の請求項の範囲に包含されることが意図されていることとが理解されるべきである。特定の用語が本明細書中で用いられているが、これらの用語は、一般的かつ記述的な意味に限り、そして、限定の目的のためでなく使用される。
【図１】
2013502783.tif 000005
【図２】
2013502783.tif 000006
【国際調査報告】
2013502783.tif 000007
2013502783.tif 000008